(57)【特許請求の範囲】
【請求項１】
室内側ドアパネルにドアトリムを装着すると共に、前記ドアパネルのベルトライン部に、昇降ガラスをシールするためのウェザーストリップを取付けた車両用ドアのベルトライン周辺構造であって、
前記ウェザーストリップは、前記ドアパネルのベルトライン部に形成したフランジ部に取付け部を嵌合して取付けられ、
前記ドアトリムの上端部は、車両外方に湾曲して前記ウェザーストリップの取付け部の上方に位置すると共に、前記ドアトリム上端部の下面に、下方に突出した略水平な底面を有する支持部が設けられる一方、前記ウェザーストリップの取付け部には、前記支持部を載置した状態で支持する略水平な受け部が設けられ、前記受け部に前記支持部を載置した状態で、前記支持部の車両幅方向への動きを規制する凹凸形状が、前記受け部及び前記支持部に設けられたものにおいて、
前記ウェザーストリップの前記取付け部を嵌合した前記フランジ部の下側には、前記取付け部の下端を支承する突部が、ベルトライン方向に対して部分的に複数箇所設けられ、前記突部を設けていない部分のフランジ部にて、前記ドアパネルを構成するインナーパネルとインナーリンフォースとがスポット溶接されていることを特徴とする車両用ドアのベルトライン周辺構造。
【請求項２】
前記ウェザーストリップには、前記ドアトリム上端部の下面に撓曲状態で当接するリップ部を設けたことを特徴とする請求項１記載の車両用ドアのベルトライン周辺構造。
【発明の詳細な説明】
【技術分野】
【０００１】
本発明は、昇降する窓ガラスと室内側にドアトリムとを備えた車両のドアに関し、詳しくはドア室内側のウェザーストリップを取付けるベルトライン周辺構造に関する。
【背景技術】
【０００２】
ドアパネルにウェザーストリップを取付ける場合、断面逆Ｕ字状の取付け部をドアパネルのフランジに被嵌する一方、ウェザーストリップの取付け部の延長部分に設けた係合爪をドアトリムに設けたフック部に係合させることにより、ドアトリムとウェザーストリップとを相互に固定する技術が開示されている（特許文献１参照）。
【０００３】
このようなウェザーストリップの取付け構造においては、ドアトリムに設けたフック部に所々または全体にわたって、ウェザーストリップの係合爪を係合させなければならない為、組付け作業が煩雑であった。また、ドアトリムのフック部が上に開口し、ウェザーストリップの係合爪を上側から差し込む構造であるため、ドアトリムの浮き上がりなどの影響をウェザーストリップが受けやすく、ガラスに対するシール性能を低下させる虞があった。さらに、ウェザーストリップがインナーパネルとドアトリムの間に位置する為、ドアトリムの上端縁の剛性が不足する虞がある。
【０００４】
【特許文献１】特開２００１−２７７８４８号公報
【発明の開示】
【発明が解決しようとする課題】
【０００５】
本発明はこのような実状に鑑みてなされたものであって、その目的は、ウェザーストリップの窓ガラスへのシール性を損なうことなく、ドアトリムとウェザーストリップの隙間の外観向上、及び、ウェザーストリップのドアトリムへの保持性向上、およびドアトリムおよびウェザーストリップの組付け性を向上させることを可能とする車両用ドア構造を提供することにある。
【課題を解決するための手段】
【０００６】
上記従来技術の有する課題を解決するため、本発明の車両用ドアのベルトライン周辺構造は、室内側ドアパネルにドアトリムを装着すると共に、前記ドアパネルのベルトライン部に、昇降ガラスをシールするためのウェザーストリップを取付けた車両用ドアのベルトライン周辺構造であって、前記ウェザーストリップは、前記ドアパネルのベルトライン部に形成したフランジ部に取付け部を嵌合して取付けられ、前記ドアトリムの上端部は、車両外方に湾曲して前記ウェザーストリップの取付け部の上方に位置すると共に、前記ドアトリム上端部の下面に、下方に突出した略水平な底面を有する支持部が設けられる一方、前記ウェザーストリップの取付け部には、前記支持部を載置した状態で支持する略水平な受け部が設けられ、前記受け部に前記支持部を載置した状態で、前記支持部の車両幅方向への動きを規制する凹凸形状が、前記受け部及び前記支持部に設けられたものにおいて、前記ウェザーストリップの前記取付け部を嵌合した前記フランジ部の下側には、前記取付け部の下端を支承する突部が、ベルトライン方向に対して部分的に複数箇所設けられ、前記突部を設けていない部分のフランジ部にて、前記ドアパネルを構成するインナーパネルとインナーリンフォースとがスポット溶接されていることにある。
【発明の効果】
【０００７】
本発明に係る車両用ドアのベルトライン周辺構造は、上述の通り構成されているので、前記ウェザーストリップの取付け部に設けた受け部でドアトリムが支持されることで、ドアトリムの変形などによる影響をウェザーストリップのガラスシールリップが受けにくく、シーリング性能を損なうことなく、ドアトリム上端縁の剛性を向上できる。また、ドアトリムの組付けにおいては、ドアトリムの支持部をウェザーストリップの受け部に載置するだけで良く、組付け性が損なわれることもない。
【０００８】
また、前記受け部に前記支持部を載置した状態で、前記支持部の車両幅方向への動きを規制する凹凸形状を前記受け部及び前記支持部に設けたので、凹凸形状により車両幅方向への規制が互いに行われているのみで、前記支持部の上方への規制が無いため、ドアトリムの車両幅方向の動きによるウィンドウガラスとの隙間の拡大や、ガラス用シールリップへの干渉を防止できる。また、ドアトリムの影響によりウェザーストリップがフランジ部から外れる方向にずれことがなく、ドアトリムの影響によるシーリング性能の低下を防止できる。さらに、この態様においても、前記支持部を前記受け部に載せるだけの簡易な操作でドアパネルにドアトリムを組み付けることができ、ドアトリムの取付けを簡単に行なうことが可能である。
【０００９】
さらに、前記ウェザーストリップの前記取付け部を嵌合したフランジ部の下側には、前記取付け部の下端を支承する突部が設けられ、かつ、前記突部はベルトライン方向に対して部分的に複数箇所設けられ、前記突部を設けていない部分のフランジ部は、前記ドアパネルを構成するインナーパネルとインナーリンフォースとがスポット溶接されているので、前記突部の高さの分、取付け部の室内側の上下方向の長さを縮小し、前記受け部から取付け部の下端までの距離を短縮でき、前記受け部から取付け部に負荷される荷重に対するウェザーストリップの剛性の向上させることができ、かつ、ドアトリムの上端縁の剛性を向上させることが可能となる。さらに、ウェザーストリップの小型化により、材料の削減も可能となる。また、前記突部が補強ビードの役割を果たし、インナーパネルのベルトライン部の強度を向上させることもできる。
【００１０】
また、前記ウェザーストリップの取付け部に、前記ドアトリム上端部の下面に撓曲状態で当接するリップ部を設けた態様では、前記ウェザーストリップのガラスシールリップとは別に設けたトリムシール用のリップ部により、ドアトリムの変形などによる影響をガラスシールリップが受けにくくなり、シーリング性能を損なうことなく、ドアトリムの上端縁とガラスシールリップとの間の隙間を塞ぐことができる。これら、ガラスシールリップとトリムシール用のリップ部とにより、埃や外気の車室内への浸入を防ぎ、車室内の快適性を向上させることができる。また、シールリップは下方からドアトリムの上端縁を支える役割をし、ドアトリムの上端縁の剛性を向上させる。さらに、ドアトリムの組付けにおいては、ドアトリムの上端縁をシールリップの上に載せるだけで良く、組付け性が損なわれることもない。
【発明を実施するための最良の形態】
【００１１】
以下、本発明の実施形態の詳細について説明する。図１は本発明の実施形態に係る車両用ドア（フロントドア２）を備えた自動車１の側面前方側を示すものであり、図２はフロントドア２を車両内側から見た側面図である。図において、フロントドア２の上方には枠（サッシュ）に囲まれた窓用開口１１にウィンドウガラス３が昇降可能に備えられている。窓用開口１１下縁のベルトライン部以下の室内側フロントドア部分には内装用のドアトリム５が装着され、さらに、窓用開口１１の下縁（ベルトライン部）とドアトリム５の上端との隙間を塞ぎ、ウィンドウガラスのシール性を高めることを目的としてウェザーストリップ４を取付けている。
【００１２】
ウェザーストリップ４は、図３〜図５に示すように、長手方向に一様な断面形状をなし、逆Ｕ字形の取付け部４ｄを中心にして、その上部から車両室外側上方に傾斜して岐出したガラスシールリップ４ａ、該ガラスシールリップ４ａの基部から室内側上方に傾斜して岐出したトリムシールリップ４ｂ、取付け部４ｄの上部に室内側に突出した受け部４ｃ、取付け部４ｄの車両室外側側面から前記ガラスシールリップ４ａとほぼ平行に傾斜して岐出した下側のガラスシールリップ４ｅなどが一体に構成されている。
【００１３】
なお、ウェザーストリップ４は、可撓性及び弾性を有する樹脂材を用いて押出成型により一体成型される。この際、取付けのための強度剛性が必要な取付け部４ｄや受け部４ｃ、ウィンドウガラス３や後述するドアトリム５に撓曲状態で接する柔軟性が必要なガラスシールリップ４ａ，４ｅやトリムシールリップ４ｂなど、それぞれに必要な性状に応じた異種材料を用いて同時成型される。
【００１４】
上記のように構成されたウェザーストリップ４は、図５に示すように、逆Ｕ字形の取付け部４ｄを、インナーパネル９とインナーリンフォース１０とを接合してなるフランジ９ａに嵌合すると共に、取付け部４ｄの車両外側の下端部に形成した係止部４ｆをインナーリンフォース１０の爪部１０ｆに係止することにより、フランジ９ａに固定される。この固定状態において、取付け部４ｄの内面に上方に向け斜に形成した突条がフランジ９ａに圧着することにより、ウェザーストリップ４のフランジ９ａからの抜脱が防止されフランジ９ａに確実に固定され、その部分でのシール性が確保される。このような取付け状態において、ウェザーストリップ４の各ガラスシールリップ４ａ，４ｅがウィンドウガラス３に当接し、ウィンドウガラス３の昇降時にガラス面上をリップ４ａが摺動することにより、ウィンドウガラス３に付着した水滴や埃がドアパネル内部から室内側に侵入するのを防いでいる。
【００１５】
一方、ウィンドウガラス３の車両室外側には、ウィンドウガラス３を挟んでウェザーストリップ４と対をなす部品として、アウタースカルプ６が配置されている。アウタースカルプ６は、前記ウェザーストリップ４の取付け部４ｄと同様に逆Ｕ字形をなす取付け部６ｄと、その上部から室内側上方に向けて傾斜して岐出したガラスシールリップ６ａ、取付け部６ｄの車両室内側側面から前記ガラスシールリップ６ａとほぼ平行に傾斜して岐出した下側のガラスシールリップ６ｅが一体に構成されている。
【００１６】
アウタースカルプ６は、アウターパネル７でアウターリンフォース８の上端部を包むように接合したなるヘミング形状７ａに、取付け部６ｄを嵌合すると共に、その下端に設けた係止部６ｆをヘミング形状７ａの下端７ｆに係止して取付けられる。このアウタースカルプ６のガラスシールリップ６ａの先端位置とウェザーストリップ４のガラス用シールリップ４ａの先端位置は外観上、及び、ウィンドウガラス３の全開時における閉鎖性から、上下方向に揃えることが望ましく、それによりウェザーストリップ４の上部位置が決定される。
【００１７】
次に、ドアトリム５のインナーパネル９への取付けは、主に、ドアトリム５の車両室外側に設けた複数のクリップ等（図示せず）をインナーパネル９に設けた孔に差込んで固定することによる。ドアトリム５はウェザーストリップ４をインナーパネル９に取付けた後に取付けられ、図４に示す様に、ドアトリム５の上端縁５ａはウェザーストリップ４を覆うように上方に配置される。
【００１８】
上記の様に、ウェザーストリップ４及びドアトリム５がそれぞれインナーパネル９に組付く構造は、ウェザーストリップ４とウィンドウガラス３の関係が安定しているため、ウェザーストリップ４に求められる機能である車室外からのシーリング性能が高いというメリットを得られる。
【００１９】
なお、図４に示す様に、ドアトリム５の上端縁５ａとウェザーストリップ４のガラスシールリップ４ａとの間には、ガラスシールリップ４ａが可動であるためクリアランスを確保する必要があり、隙間を設けなければならない。そこで本発明のウェザーストリップ４は、図４及び図５に示す様に、ガラスシールリップ４ａの基部から室内側上方に岐出したトリムシールリップ４ｂを備え、該トリムシールリップ４ｂが撓曲状態でドアトリム５の上端部下面（意匠面の裏面）に当接するようにし、ドアトリム上端縁５ａとガラスシールリップ４ａとの間に、ガラスシールリップ４ａ可動用のクリアランスを確保している。
【００２０】
上記シールリップ４ｂはドアトリム５の意匠面の裏面に撓んで当接しているのみで、両者は互いに固定されていないため、例えば変形などによりドアトリム５の位置が上方に若干ずれた場合でも、ウェザーストリップ４が上方に引っ張られることがなく、従ってウィンドウガラス３に対するガラスシールリップ４ａのシーリング性能が損なわれることがない。また、トリムシールリップ４ｂは可撓性及び弾性を有するため、常にドアトリム５の意匠面の裏面に当接させることができ、ドアトリム５の上端縁５ａとガラスシールリップ４ａとの間の隙間を塞ぐことができる。
【００２１】
また、逆にドアトリム５の位置が下方に若干ずれた場合は、シールリップ４ｂを介してウェザーストリップ４がドアトリム５の意匠面の裏面に押され、取付け部４ｄがフランジ９ａにしっかりと嵌まり込む為、やはりウィンドウガラス３へのガラス用シールリップ４ａのシーリング性能は確保される。また、シールリップ４ｂにより、ドアトリム５内の空間１２にあるホコリやエアーが車室内に浸入するのを防ぎ、車室内の快適性を向上させることができる。
【００２２】
さらに、シールリップ４ｂは下方からドアトリム５の上端縁５ａを支える役割をすることから、ドアトリム５の上端縁５ａの剛性を向上させるという効果を得ることもできる。ドアトリム５のドア２への組付け時、ドアトリム５の上端縁５ａをシールリップ４ｂの上に載せるだけで良いため、組付け性を損なうこともない。
【００２３】
上述のように、シールリップ４ｂによりドアトリム５の上端縁５ａが支持されるものの、シールリップ４ｂは当該部分のシールを目的とし、可撓性及び弾性を充分に確保しようとする場合、ドアトリム５の上端縁５ａ付近に他の固定構造を設けることが有意義である。そこで、本実施形態においては、図４及び図５に示すように、ドアトリム５の上端部（５ａ）に、意匠面の裏面から下方に突出し、かつ、水平な底面を備えた支持部５ｃを設ける一方、ウェザーストリップ４側には、支持部５ｃの水平な底面を載置可能な水平面を備えた受け部４ｃを設け、受け部４ｃに支持部５ｃを載置した状態で支持することにより、ドアトリム５の上端面（５ａ）付近の剛性を向上している。
【００２４】
また、支持部５ｃと受け部４ｃは、互いに車両幅方向の位置が規制されるように、それらの接触面に凹凸形状を形成している。図４及び図５に示す例では、ドアトリム５に設けた支持部５ｃ側を凹形状、ウェザーストリップ４に設けた受け部４ｃ側を凸形状としているが、車幅方向の規制が可能であれば、その逆でも構わない。また凹凸の断面形状は、矩形以外の、台形、三角形等であっても良い。さらに、凹凸形状は、ウェザーストリップ４の長さ方向に対して部分的に複数箇所設けられていても良い。
【００２５】
上記の支持部５ｃと受け部４ｃによる支持構造によれば、ドアトリム５の上端縁５ａに負荷される荷重を、支持部５ｃを介して受け部４ｃの水平面で受けることができるため、高い剛性を得ることができる。また、支持部５ｃと受け部４ｃとの嵌合は、凹凸形状により車両幅方向への規制が互いに行われているのみで、支持部５ｃの上方への規制が無いため、ドアトリム５の車両幅方向の動きによるウィンドウガラス３との隙間の拡大や、ガラスシールリップ４ａへの干渉を防止できる。一方、ドアトリム５が上方にずれる場合においては、支持部５ｃと受け部４ｃとの嵌合が容易に外れるため、ウェザーストリップ４がドアトリム５に引き上げられるのを防止でき、ウェザーストリップ４がフランジ９ａから外れる方向にずれてウィンドウガラス３に対するガラスシールリップ４ａのシーリング性能を低下させるのを防ぐことができる。
【００２６】
さらに、支持部５ｃと受け部４ｃは互いに係止する爪構造などを備えていない為、支持部５ｃを受け部４ｃに載せるだけの簡易な操作でドアトリム５をドアパネル９に組み付けることができる。また、支持部５ｃをドアトリム５に、受け部４ｃをウェザーストリップ４に、それぞれ一体に成形することにより、部品点数の増加も回避できる。尚、支持部５ｃと受け部４ｃは、ベルトライン長さ方向全体に亘って設けても良いし、部分的に複数箇所設けても良い。
【００２７】
さらに発明では、ドアトリム５の上端縁５ａに負荷される荷重に対する剛性を、以下の構造により、さらに向上させることを可能としている。前述の受け部４ｃに負荷される荷重は、取付け部４ｄにダイレクトに伝わるため、取付け部４ｄの長さはできるだけ短い方が撓みも少なく、剛性面で好ましい。しかし、ウェザーストリップ４の上下端の位置は、それぞれ以下の理由により決定されている。まず、ガラスシールリップ４ａ上端の位置は車両室外側に取付けられるアウタースカルプ６の高さと外観上揃える必要があるため、取付け部４ｄの上端の高さも規制を受ける。
【００２８】
一方、ウェザーストリップ４の取付け部４ｄ下端は、フランジ９ａの基部まで延長しておくことが、シーリング性能向上のためには好ましい。フランジ９ａは一般にスポット溶接により車両前後方向に複数箇所で溶接してある。このため、フランジ９ａにはスポット溶接のための溶接代がある程度必要となり、フランジ９ａ及び取付け部４ｄを短くすることは難しい。
【００２９】
そこで、本実施形態では、図３及び図４に示すように、インナーパネル９のフランジ９ａの根元に部分的に突部９ｂを設け、取付け部４ｄの下端が突部９ｂに当接し、突部９ｂで支承されるようにした。これにより、取付け部４ｄの室内側の上下方向の長さを突部９ｂの高さの分だけ縮小することができ、前記受け部４ｃから取付け部４ｄの下端までの距離を短くすることができる。この構成により、受け部４ｃに負荷される荷重に対するウェザーストリップ４の剛性を向上させることができ、ドアトリム５の上端縁５ａの剛性を更に向上させることが可能となる。また、ウェザーストリップ４の小型化により、材料の低減も可能となる。さらに、インナーパネル９のベルトライン部に複数の突部９ｂを形成することにより、突部９ｂがビードの役割をし、インナーパネル９のベルトライン部の強度も向上させることができる。
【００３０】
以上の詳述したように、本発明のベルトライン周辺構造によれば、昇降するウィンドウガラスを備えた車両用ドアにおいて、ウェザーストリップ４が高いシーリング性能を保持しながら、ベルトライン部周辺の剛性を向上させることが可能となり、その他に外観、快適性及び組付け性までも向上させることが可能となった。
【００３１】
以上、本発明の実施の形態について述べたが、本発明は上記実施形態に限定されるものではなく、本発明の技術的思想に基づいて各種の変形および変更が可能である。
【図面の簡単な説明】
【００３２】
【図１】本発明の実施形態に係る車両用ドアを備えた自動車の前方側を示す側面図である。
【図２】図１の自動車のフロントドアの車両内側からの側面図である。
【図３】本発明の実施形態に係るフロントドアの分解斜視図である。
【図４】図２のＡ−Ａ線断面図である。
【図５】図２の分解状態におけるＡ−Ａ線断面図である。
【符号の説明】
【００３３】
１  自動車
２  フロントドア
３  ガラス
４  ウェザーストリップ
４ａ  ガラスシールリップ
４ｂ  トリムシールリップ
４ｃ  受け部
４ｄ  取付け部
５  ドアトリム
５ａ  上端縁（上端部）
５ｃ  支持部
６  アウタースカルプ
６ａ  ガラスシールリップ
７  アウターパネル
７ａ  ヘミング形状
８  アウターリンフォース
９  インナーパネル
９ａ  フランジ
９ｂ  突部
１０  インナーリンフォース
１１  窓用開口（ウインド開口）
【図１】
0004788996.tif 000002
【図２】
0004788996.tif 000003
【図３】
0004788996.tif 000004
【図４】
0004788996.tif 000005
【図５】
0004788996.tif 000006